(57)【要約】【課題】ネジを使用せずに蓋体４を装置本体１に確実に取り付ける。【解決手段】操向用ハンドルＢに固定された装置本体１に制御用ワイヤ２を引き操作するスロットルレバー３を設け、上記装置本体１の上部に蓋体４を取り付けてなるスロットル調整装置Ａにおいて、上記装置本体１の上部両側壁１３の外側面と蓋体４の両側部の内側面のうち、いずれか一方には凸条２５を形成し、他方には上記凸条２５に摺動自在に係合可能な凹溝１７を斜めに形成し、上記凸条２５を上記凹溝１７に係合させて摺動し、その摺動端で上記蓋体４を上記装置本体１に対して係止させて上記蓋体４を装置本体１上に固定したことを特徴とする。【選択図】図３
2008215102.tif 000002
【特許請求の範囲】
【請求項１】
操向用ハンドルに固定された装置本体に制御用ワイヤを引き操作するスロットルレバーを設け、上記装置本体の上部に蓋体を取り付けてなるスロットル調整装置において、
上記装置本体の上部両側壁の外側面と蓋体の両側部の内側面のうち、いずれか一方には凸条を形成し、他方には上記凸条に摺動自在に係合可能な凹溝をそれぞれ斜めに形成し、上記凸条を上記凹溝に係合させて摺動し、その摺動端で上記蓋体を上記装置本体に対して係止させて上記蓋体を装置本体上に固定したことを特徴とするスロットル調整装置。
【請求項２】
上記蓋体の下端面とこの下端面を受ける上記装置本体の端面に、上記蓋体と装置本体の係止部を形成したことを特徴とする、請求項１に記載のスロットル調整装置。
【発明の詳細な説明】
【技術分野】
【０００１】
本発明はスロットルレバーを設けた装置本体上に蓋体を取り付けるにあたり、ネジを使用せず、単にスライドさせることによって取り付けたスロットル調整装置に関する。
【背景技術】
【０００２】
一般に、刈払機、耕耘機、田植え機、芝刈機等の管理機のハンドル用パイプにはスロットルレバーを設けたスロットル調整装置が設けられ、スロットルレバーの引き量の調整によりエンジンの回転をコントロールするようになっている。例えば刈払機においては、ハンドル用パイプの一端側にはガソリン機関等のエンジンを搭載し、他端側にはハンドル用パイプの内部に配置された駆動軸を介して前記エンジンによって駆動される回転刃を備え、特にハンドル用パイプのグリップ部の近傍に配置されてエンジンの回転をコントロールするスロットル調整装置が設けられている。
【０００３】
ところで、主にワイヤやスロットルレバーなどの部品の組み付け上の理由から、装置本体はケース状に形成され、上部は開放され、その上に蓋体を取り付ける構造になっている。そして、蓋体を装置本体の上部に固定するときは、固定用のネジを使用していた。
【特許文献１】特開２００３−１３７５５公報
【発明の開示】
【発明が解決しようとする課題】
【０００４】
しかしながら、蓋体のネジ止めには、蓋体を装置本体の所定位置に位置合わせをしてからネジを挿通し、さらにドライバでネジを回転させるという作業を要するので、組立て工数が多くなり面倒であった。
【０００５】
本発明は上記問題点を解消し、ネジを使用せずに蓋体を装置本体に確実に取り付けることができるスロットル調整装置を提供することをその課題とする。
【課題を解決するための手段】
【０００６】
前記課題を解決するため、請求項１に係る発明は、操向用ハンドルに固定された装置本体に制御用ワイヤを引き操作するスロットルレバーを設け、上記装置本体の上部に蓋体を取り付けてなるスロットル調整装置において、上記装置本体の上部両側壁の外側面と蓋体の両側部の内側面のうち、いずれか一方には凸条を形成し、他方には上記凸条に摺動自在に係合可能な凹溝を斜めに形成し、上記凸条を上記凹溝に係合させて摺動し、その摺動端で上記蓋体を上記装置本体に対して係止させて上記蓋体を装置本体上に固定したことを特徴とする。
【０００７】
請求項２に係る発明は、請求項１において、上記蓋体の下端面とこの下端面を受ける上記装置本体の端面に、上記蓋体と装置本体の係止部を形成したことを特徴とする。
【発明の効果】
【０００８】
請求項１に係る発明によれば、装置本体の上部両側壁の外側面と蓋体の両側部の内側面のうち、いずれか一方には凸条を形成し、他方には上記凸条に摺動自在に係合可能な凹溝を斜めに形成し、上記凸条を上記凹溝に係合させて摺動し、その摺動端で上記蓋体を上記装置本体に対して係止させて上記蓋体を装置本体上に固定した構成であるから、蓋体の凸条の下端を装置本体の凹溝の上端から係合し、凹溝に沿って斜めに摺動させる。凸条が凹溝を摺動するにつれて蓋体は装置本体に接近していく。そして、凸条の下端が凹溝の下端に突き当たるまで摺動させる。同時に、上記蓋体の後側面部下端を装置本体の段差に押し付けて蓋体の係止突部を装置本体の係止溝に係止させる。このとき、蓋体の下端は装置本体の段差に当接して一体に結合する。
【０００９】
このように、蓋体を装置本体に取り付けるときは、上から下に斜めに摺動させて取り付け、最後に凸条と凹溝とは反対側の位置で係止させる構造であるから、蓋体を逆方向に摺動しようとしても蓋体は装置本体に係止し、逆方向に移動することはできないから、ネジ等を使用せずに蓋体を装置本体に容易かつ確実に取り付けることができる。したがって、部品点数や組立て工数も節減することができ、コストも低く抑えることができる。
【００１０】
請求項２に係る発明によれば、蓋体の下端面とこの下端面を受ける装置本体の端面に、上記蓋体と装置本体の係止部を形成したから、蓋体を装置本体に対して上方から斜め下方に摺動させた後、その摺動端で蓋体を下方に押し付けることにより蓋体が装置本体に係止される。したがって、蓋体の取付作業が容易である。
【発明を実施するための最良の形態】
【００１１】
図１は芝刈り機などの管理機の操向用ハンドルに設けられたスロットル調整装置の側面図、図２は上記スロットル調整装置の縦断面図であり、図３及び図４は上記スロットル調整装置の分解斜視図である。
【００１２】
上図において符号Ａはスロットル調整装置を示す。スロットル調整装置Ａは、操向用ハンドルＢに固定された装置本体１に制御用ワイヤ２を引き操作するスロットルレバー３を設けたもので、上記装置本体１の上部には蓋体４が取り付けられ、蓋体４にはエンジンの始動停止スイッチボタン５が始動、停止方向に摺動可能に設けられている。
【００１３】
装置本体１は平面視略方形の箱形に形成され、上下部が開放され、前壁にはハンドルＢの取付穴７が形成されている。取付穴７の下端は途切れており、その両側からボルト８を締め付けることにより上記ハンドルＢを固定している。
【００１４】
また、両側壁の下部には支軸１０が設けられ、該支軸１０には上記スロットルレバー３が回動自在に支持されている。スロットルレバー３の上部には上記ワイヤ２が連結され、スロットルレバー３の下部は装置本体１の下方に操作可能に突出している。
【００１５】
ワイヤ２はアウターワイヤ２ａとインナーワイヤ２ｂとから構成され、アウターワイヤ２ａは装置本体１の一側から突出した断面Ｕ字形の取付軸１１に固定され、インナーワイヤ２ｂは上記取付軸１１の内部を通り、その端部に設けられたタイコ１２が上記スロットルレバー３の上端部と連結している。これにより、スロットルレバー３の引き量を調整することによってエンジンのスロットル調整ができるようになっている。
【００１６】
さらに、装置本体１の両側壁１３と後壁１４の上部には段差１５が形成され、両側壁１３の段差１５の上部には、取付軸１１側の外側面１６に凹溝１７が斜めに形成されている。この凹溝１７の上端部１７ａは装置本体１の両側壁１３の端面に開口している。そして、後壁１４の段差１５の上端には係止溝１８が形成されている。
【００１７】
次に、蓋体４は方形状の上面部２０とその下方の三方に形成された後側面部２１と左右両側の側面部２２とから形成され、「ＳＴＡＲＴ」側（前側）の側面部は開放されている。蓋体４の上面部２０の中央には長穴２４が形成され、該長穴２４には始動停止スイッチボタン５が始動、停止方向に摺動可能に設けられている。また、上記上面部２０の底面にはエンジンのスイッチをオンオフするための配線が施されている。そして、左右の側面部２２の内側面には、上記凹溝１７に対応する内側面２３に上記凹溝１７に摺動自在に係合可能な凸条２５が斜めに形成されている。また、後側の側面部２１の下端面には断面が三角形状の係止突部２６が形成されている。後側面部の下端は上記装置本体１の後壁１４の段差１５と対応し、係止突部２６は上記装置本体１の係止溝１８と係止可能に形成されている。
【００１８】
上記構成の蓋体４を装置本体１に取り付けるときは、図５のように、蓋体４の凸条２５の下端を装置本体１の凹溝１７の上端部１７ａから係合し、凹溝１７に沿って斜めに摺動させる。凸条２５が凹溝１７を摺動するにつれて蓋体４は装置本体１に接近していく。そして、凸条２５の下端が凹溝１７の下端部１７ｂに突き当たるまで摺動させる。同時に、上記摺動端で蓋体４の後側面部下端を装置本体１の段差１５に押し付けて蓋体４の係止突部２６を装置本体１の係止溝１８に係止させる。このとき、蓋体４の下端は装置本体１の段差１５に当接して一体に結合する。
【００１９】
上記構成によれば、蓋体４を装置本体１に取り付けるときは、上から下に斜めに摺動させて取り付け、最後に凸条２５と凹溝１７とは反対側の位置で係止させる構造であるから、蓋体４を逆方向に摺動しようとしても蓋体４は装置本体１に係止し、逆方向に移動することはできないから装置本体１に固定される。
【００２０】
なお、蓋体を装置本体にネジを使わずに取り付ける手段として、蓋体を横に移動させたり上下に移動させたりして、最後に蓋体４の側面部の内側に形成した係止顎を装置本体の外側の係止穴に係止させて取り付ける方式も考えられるが、この場合、蓋体の係止顎を形成した側面部を横に拡げ、最後に側面部の弾性を利用して係止顎が係止穴に飛び込むようにするので、弾性変形しにくいものには適用することができない。しかし、上記構成のスロットル調整装置によれば、通常の使用時に蓋体に働く力は、スイッチボタンを移動させる際の作動荷重方向は前後方向であり、蓋体を斜め方向に移動させる力が働くことはないので、蓋体が外れにくい。
【００２１】
また、上記装置本体１の外側面１６の中央は開口され、また蓋体４の中央部も膨らんでいるが、このように、部材の取り合いの関係などの理由から、装置本体又は蓋体の側面を連続面として形成することはあまり一般的ではない。この場合、凸条や凹溝を横方向に連続的に形成するのは困難である。また、縦方向に形成する場合は、１個では足りず、複数個を形成しなければならない。
【００２２】
これに対し、上記スロットル調整装置Ａのように、斜めの凸条２５と凹溝１７とを係合させる構成であれば、連続した長い形状にする必要がなく、また、係止態様も蓋体４の下端と装置本体１の段差１５との当接部分に係止する構成でよいので、取付作業が簡単である。
【００２３】
上記実施形態では、装置本体１に凹溝１７を、蓋体４には凸条２５を形成しているが、本発明はこの形態に限定されない。逆に、装置本体に凸条を、蓋体に凹溝を形成する構成であってもよい。
【００２４】
また、上記実施形態では、装置本体１の外側に蓋体４を嵌め込む構成であるが、その逆に、装置本体の内側に蓋体を嵌め込む構成であってもよい。
【００２５】
同様に、上記実施形態では、装置本体１に係止溝１８、蓋体４に係止突部２６を形成しているが、その逆であってもよい。
【図面の簡単な説明】
【００２６】
【図１】本発明に係るスロットル調整装置の側面図
【図２】上記スロットル調整装置の縦断面図
【図３】上記スロットル調整装置の分解斜視図
【図４】上記スロットル調整装置の他の方向からみた分解斜視図
【図５】蓋体を装置本体１に取り付ける場合の取付態様説明図
【符号の説明】
【００２７】
Ａ  スロットル調整装置
１  装置本体
４  蓋体
１３  側壁
１７  凹溝
１８  係止溝
２５  凸条
２６  係止突部
【図１】
2008215102.tif 000003
【図２】
2008215102.tif 000004
【図３】
2008215102.tif 000005
【図４】
2008215102.tif 000006
【図５】
2008215102.tif 000007